(57)【要約】【課題】音声認証技術を利用してロッカーの施錠及び開錠操作を、ユーザ通信端末からの音声入力により可能とし、煩雑な操作を不要にするとともに、荷預人と荷受人が異なる場合でも各ユーザ通信端末からの音声入力により同一ロッカーの利用を可能にして、操作性と利便性を向上する音声認証ロッカーシステムを提供すること。【解決手段】ユーザ通信端末１のユーザの音声を音声認証サーバ３に登録しておくことにより、ロッカー７を利用する際に、ユーザ通信端末１，１０から音声認証サーバ３に発呼してロッカー利用に関する情報を音声入力するだけで、ロッカーの利用が可能になるため、煩雑な操作を不要にすることができる。【選択図】図１
2007332695.tif 000002
【特許請求の範囲】
【請求項１】
施錠時に施錠者の生体特徴情報を取得して施錠対象鍵に対する鍵情報として登録する鍵情報登録手段と、
施錠対象鍵の開錠に際して施錠者の生体特徴情報からなる鍵情報を当該施錠者が操作する通信端末から通信網経由で取得する鍵情報取得手段と、
前記鍵情報取得手段で取得した鍵情報と前記鍵情報登録手段に登録されている当該施錠者の鍵情報とを比較して開錠の要否を判定する開錠判定手段と、
前記開錠判定手段が開錠判定した場合は前記施錠対象鍵を開錠する錠制御手段と、
を具備したことを特徴とする電子錠装置。
【請求項２】
前記鍵情報登録手段は、施錠者の発話音声から取得される音声データを鍵情報として登録し、
前記鍵情報取得手段は、施錠者が操作する通信端末から通信網経由で送信される発話音声から音声データを鍵情報として取得し、
前記開錠判定手段は、施錠時に登録された音声データと開錠に際し取得した音声データとを照合して同一施錠者であるか否か判定する音声認証を行うことを特徴とする請求項１記載の電子錠装置。
【請求項３】
前記生体特徴情報は施錠者の顔画像であることを特徴とする請求項１記載の電子錠装置。
【請求項４】
前記通信端末と通信網を経由して接続可能なサーバ上に、前記鍵情報登録手段、前記鍵情報取得手段及び開錠判定手段を構築したことを特徴とする請求項１から請求項３のいずれかに記載の電子錠装置。
【請求項５】
前記鍵情報登録手段は、施錠者の発話音声から取得される音声データを鍵情報として登録し、
前記鍵情報取得手段は、開錠者が操作する通信端末にインストールされたアプリケーションであって、通信網を経由して施錠者の操作する通信端末と回線接続した状態で、通話中に前記施錠者の発話音声から鍵情報となる音声データを取得し、
前記開錠判定手段は、前記開錠者が操作する通信端末から鍵情報となる音声データを受け取ることを特徴とする請求項１記載の電子錠装置。
【請求項６】
ロッカーに荷物を預ける場合に荷預人が通信端末に入力した発話音声を通信網経由で受信して当該発話音声データを鍵情報として登録するユーザ音声登録手段と、
荷受人が前記ロッカーから荷物を取り出す場合、前記荷預人が通信端末にて通信網経由で接続してきた際に当該荷預人の発話音声を取得する発話取得手段と、
前記発話取得手段で取得された発話音声のうち鍵情報に相当する音声データを取り出して前記荷預人の鍵情報と比較し音声認証する音声認証手段と、
音声認証された場合は該当ロッカーの開錠を制御する制御情報を生成するロッカー管理手段と、
生成された制御情報にしたがって該当ロッカーの開錠を制御する鍵制御手段と、
を具備した音声認証ロッカーシステム。
【請求項７】
前記通信端末と通信網を経由して接続可能なサーバ上に、前記ユーザ音声登録手段、前記発話取得手段及び前記音声認証手段を構築したことを特徴とする請求項６記載の音声認証ロッカーシステム。
【請求項８】
発話取得手段は、荷受人が操作する通信端末にインストールされたアプリケーションであって、通信網を経由して荷預人の操作する通信端末と回線接続した状態で、通話中に前記荷預人の発話音声から鍵情報に相当する音声データを取得することを特徴とする請求項６記載の音声認証ロッカーシステム。
【発明の詳細な説明】
【技術分野】
【０００１】
本発明は、ロッカー、家屋、宅配ボックス等の扉に設けられた錠を制御する電子錠装置及び音声認証ロッカーシステムに関する。
【背景技術】
【０００２】
従来、携帯電話機の普及と付加機能の多様化に伴い、携帯電話機のインフラを利用した様々なサービスが提案されている。例えば、駅等の公共施設に設置されるコインロッカーの施錠と開錠を携帯電話機からの操作により制御可能とするサービスが提案されている。
【０００３】
例えば、特許文献１には、第１利用者からの移動端末を通じた施錠要求に応じて施錠し、第２利用者からの移動端末を通じた開錠要求に対しては第１利用者の認証情報の入力を要求し、認証情報が適正であれば開錠する施錠制御装置が開示されている。
【０００４】
また、特許文献２には、データセンタはＵＲＬへアクセスしてきた携帯電話にＩＤを付与すると共に操作画面を送信し、携帯電話は操作画面から施錠要求又は開錠要求を送信することにより、ロッカーの施錠と開錠を可能にするロッカーシステムが開示されている。
【特許文献１】特許第３６４３３５４号公報
【特許文献２】特開２００３−２７８４２１号公報
【発明の開示】
【発明が解決しようとする課題】
【０００５】
しかしながら、上記従来の施錠制御装置では、第１利用者から移動端末を通じて送信される施錠要求により施錠した施錠装置（ロッカー）は、第２利用者から移動端末を通じて送信される開錠要求に応じて要求する第１利用者の認証情報の認証により開錠する構成となっているが、第２利用者が第１利用者の認証情報を忘れてしまうと、開錠することができなくなる。この場合、第２利用者は、再度第１利用者に対して認証情報を問い合わせる必要があり、却って利用者に対して煩雑な処理を強要することになる。また、悪意のある第三者に第１利用者の認証情報を取得された場合は成りすましが可能になる。
【０００６】
また、上記従来のロッカーシステムでは、携帯電話はデータセンタから受信する操作画面から施錠要求及び開錠要求を送信することになっているが、やはり利用者に対して煩雑な操作を強要することになり、また、携帯電話は操作画面が狭いため、高齢者等にとっては操作が困難である。
【０００７】
本発明は、以上のような実情に鑑みてなされたものであり、煩雑な操作を排除すると共に施錠者が遠隔から開錠操作することができ、生体認証レベルのセキュリティを実現した電子錠装置及び音声認証ロッカーシステムを提供することを目的とする。
【課題を解決するための手段】
【０００８】
本発明の電子錠装置は、施錠時に施錠者の生体特徴情報を取得して施錠対象鍵に対する鍵情報として登録する鍵情報登録手段と、施錠対象鍵の開錠に際して施錠者の生体特徴情報からなる鍵情報を当該施錠者が操作する通信端末から通信網経由で取得する鍵情報取得手段と、前記鍵情報取得手段で取得した鍵情報と前記鍵情報登録手段に登録されている当該施錠者の鍵情報とを比較して開錠の要否を判定する開錠判定手段と、前記開錠判定手段が開錠判定した場合は前記施錠対象鍵を開錠する錠制御手段とを具備したことを特徴とする。
【０００９】
この構成によれば、施錠時に施錠者の生体特徴情報を登録すると共に開錠に際して施錠者の生体特徴情報からなる鍵情報を当該施錠者が操作する通信端末から通信網経由で取得して比較し、開錠の要否を判定するので、施錠者が遠隔から自分の意思で開錠操作することができ、生体認証レベルのセキュリティを実現できる。
【００１０】
また本発明は、上記電子錠装置において、前記鍵情報登録手段は、施錠者の発話音声から取得される音声データを鍵情報として登録し、前記鍵情報取得手段は、施錠者が操作する通信端末から通信網経由で送信される発話音声から音声データを鍵情報として取得し、前記開錠判定手段は、施錠時に登録された音声データと開錠に際し取得した音声データとを照合して同一施錠者であるか否か判定する音声認証を行うことを特徴とする。
【００１１】
これにより、施錠時に登録された施錠者の音声データと開錠に際し施錠者が通信端末から送信してきた発話音声の音声データとを照合して音声認証を行うので、通信端末で接続して発話するといった極めて容易な作業で開錠操作できるものとなる。
【００１２】
また本発明は、上記電子錠装置において、前記生体特徴情報は施錠者の顔画像であることを特徴とする。
【００１３】
この構成によれば、音声データと同様に顔画像をキー情報として用いることができる。
【００１４】
また本発明は、上記電子錠装置において、前記通信端末と通信網を経由して接続可能なサーバ上に、前記鍵情報登録手段、前記鍵情報取得手段及び開錠判定手段を構築したことを特徴とする。
【００１５】
これにより、サーバにおいて登録キー情報の管理並びに開錠制御が可能になり、施錠対象鍵側の変更を最小限に抑えることができる。
【００１６】
また本発明は、上記電子錠装置において、前記鍵情報登録手段は、施錠者の発話音声から取得される音声データを鍵情報として登録し、前記鍵情報取得手段は、開錠者が操作する通信端末にインストールされたアプリケーションであって、通信網を経由して施錠者の操作する通信端末と回線接続した状態で、通話中に前記施錠者の発話音声から鍵情報となる音声データを取得し、前記開錠判定手段は、前記開錠者が操作する通信端末から鍵情報となる音声データを受け取ることを特徴とする。
【００１７】
これにより、開錠者が操作する通信端末を施錠者の操作する通信端末と回線接続した状態で、通話中に施錠者の発話音声から鍵情報となる音声データを取得するので、開錠者が施錠者に通信端末で開錠を依頼する会話から自動的にキー情報となる音声データを取得することができ、施錠者は開錠者から受けた通話の中でキー情報を渡すことができる。
【００１８】
また本発明の音声認証ロッカーシステムは、ロッカーに荷物を預ける場合に荷預人が通信端末に入力した発話音声を通信網経由で受信して当該発話音声データを鍵情報として登録するユーザ音声登録手段と、荷受人が前記ロッカーから荷物を取り出す場合、前記荷預人が通信端末にて通信網経由で接続してきた際に当該荷預人の発話音声を取得する発話取得手段と、前記発話取得手段で取得された発話音声のうち鍵情報に相当する音声データを取り出して前記荷預人の鍵情報と比較し音声認証する音声認証手段と、音声認証された場合は該当ロッカーの開錠を制御する制御情報を生成するロッカー管理手段と、生成された制御情報にしたがって該当ロッカーの開錠を制御する鍵制御手段とを具備したことを特徴とする。
【００１９】
また本発明は、上記音声認証ロッカーシステムにおいて、前記通信端末と通信網を経由して接続可能なサーバ上に、前記ユーザ音声登録手段、前記発話取得手段及び前記音声認証手段を構築したことを特徴とする。
【００２０】
また本発明は、上記音声認証ロッカーシステムにおいて、発話取得手段は、荷受人が操作する通信端末にインストールされたアプリケーションであって、通信網を経由して荷預人の操作する通信端末と回線接続した状態で、通話中に前記荷預人の発話音声から鍵情報に相当する音声データを取得することを特徴とする。
【発明の効果】
【００２１】
本発明によれば、煩雑な操作を排除すると共に施錠者が遠隔から開錠操作することができ、ロッカー等を利用する際の操作性を向上することができる。
【発明を実施するための最良の形態】
【００２２】
以下、本発明の電子錠装置をロッカーの施錠システムに適用した一実施の形態について説明するが、本発明はロッカー以外にも家屋の扉や宅配ボックスの扉等の施錠／開錠を制御する電子錠装置にも適用可能である。
【００２３】
本実施の形態に係る音声認証ロッカーシステムは、ロッカーに荷物を預ける荷預人がユーザ通信端末から音声認証サーバに回線接続して音声鍵情報をサーバに預け（登録）、その後にロッカーから荷物を受け取る荷受人が荷預人のユーザ通信端末に電話して開錠を依頼し、荷預人がユーザ通信端末から入力した発話音声を音声鍵情報として取り込んで施錠時に登録した音声鍵情報と照合して開錠する。
【００２４】
図１は、本実施の形態の音声認証ロッカーシステムの全体構成を示す図である。図１において、音声認証ロッカーシステムは、ユーザ通信端末１，１０と、音声認証サーバ３と、ユーザ管理サーバ４と、ロッカー管理サーバ５と、電子キーシステム６と、ロッカー７と、から構成される。ユーザ通信端末１、１０と音声認証サーバ３は、電話網２を介して接続される。
【００２５】
ユーザ通信端末１，１０は、ユーザの発話音声を入力する機能と有線又は無線により電話網２に接続して通話可能にする通信機能とを有する。ユーザ通信端末１、１０として、携帯電話端末、固定電話端末、通話機能を搭載したＰＤＡ等を用いることができるが、本実施の形態では携帯電話端末を用いた例を説明する。
【００２６】
上記ユーザ通信端末１，１０からの要求に応じて音声登録及び音声認証を行うのが音声認証サーバ３である。音声認証サーバ３は、電話網２経由で接続したユーザ通信端末１，１０に音声ガイダンスを与える音声ガイダンス機能、発話音声の音声認識を行う音声認識機能、登録された音声データとなる声紋プロファイルに基づいて音声認証を行う音声認証機能、音声入力されたロッカー情報を音声認識してテキスト形式のロッカー情報として送信するロッカー情報送信機能等を有する。
【００２７】
ユーザ管理サーバ４は、入力された発信者番号情報からユーザ情報を作成して登録するユーザ情報登録機能、音声認証サーバ３による音声認証結果に基づいてユーザ認証するユーザ認証機能、ロッカー情報を取得するロッカー情報取得機能、取得したロッカー情報をロッカー管理サーバ５に送信するロッカー情報送信機能を有する。ユーザ認証については音声認証に代えることも可能である。
【００２８】
上記ユーザ認証結果及びロッカー情報に応じてユーザ通信端末１，１０のユーザが利用しようとするロッカーの施錠・開錠制御を行うのがロッカー管理サーバ５である。ロッカー管理サーバ５は、ユーザ管理サーバ４からユーザ認証結果を取得する認証結果取得機能、ユーザ管理サーバ４からロッカー情報を取得するロッカー情報取得機能、取得したロッカー情報によりユーザ通信端末１，１０のユーザが利用しようとするロッカーの利用状態を管理するとともに、当該ロッカーの施錠及び開錠を制御する制御情報を生成するロッカー管理機能を有する。
【００２９】
上記ロッカーの施錠及び開錠の制御情報に応じて、該当するロッカーの施錠又は開錠動作を実行するのが電子キーシステム６である。本実施の形態は、各構成要素（３〜６）をＬＡＮ又はＷＡＮ等のネットワークを介した接続で音声認証ロッカーシステム構築しているが、分散配置せずに１つのサーバ上に構築するようにしても良いし、特定の構成要素（例えば、音声認証サーバ３、ユーザ管理サーバ４、ロッカー管理サーバ５だけを同一サーバ上に構築してもよい。
【００３０】
図２は、音声認証サーバ３の構成を示すブロック図である。図２において、音声認証サーバ３は、音声ガイダンス対応部１１と、発信者番号取得部１２と、鍵情報登録手段としてのユーザ音声登録部１３と、鍵情報取得手段としての発話取得部１４と、ユーザ音声データベース（以下、ユーザ音声ＤＢという）１５と、開錠判定手段としての音声認証部１６と、音声認識部１７と、認証結果／利用情報取得部１８と、から構成される。
【００３１】
音声ガイダンス対応部１１は、電話網２を介してアクセスしてくるユーザ通信端末１等に対して、当該音声認証ロッカーシステムの利用に関する音声ガイダンスを行う。音声ガイダンス対応部１１は、アクセス時のユーザ通信端末１からの受信信号（発信者番号通知信号）を発信者番号取得部１２に出力し、音声ガイダンス開始後にユーザ通信端末１から受信するユーザ音声信号をユーザ音声登録部１３又は発話取得部１４に出力する。また、音声ガイダンス対応部１１は、認証結果／利用情報取得部１８からユーザ認証結果が入力されると、そのユーザ認証結果を示す音声信号をユーザ通信端末１に送信する。
【００３２】
発信者番号取得部１２は、音声認証サーバ３にアクセスしてきたユーザ通信端末１，１０の発信者番号通知信号からユーザ通信端末１、１０の発信者番号を取得する。発信者番号取得部１２は、取得した発信者番号をユーザ管理サーバ４に通知してユーザ情報登録されているか否かの問い合わせを行う。そして、発信者番号取得部１２は、登録問合せの結果、未登録が確認された場合には、ユーザ音声登録処理の開始指示をユーザ音声登録部１３に出力し、取得した発信者番号を含むユーザ情報登録指示をユーザ管理サーバ４に通知するとともに、ユーザ音声の登録開始指示をユーザ音声登録部１３に通知する。また、発信者番号取得部１２は、登録問合せの結果、登録が確認された場合には、開錠のためのユーザ音声認証開始指示を音声ガイダンス対応部１１に通知する。
【００３３】
ユーザ音声登録部１３は、発信者番号取得部１２からユーザ音声登録指示が通知されると、音声ガイダンス対応部１１によりユーザ音声登録の音声ガイダンスを行わせる。当該音声ガイダンスに従ってユーザ通信端末１から入力された登録ワードを、音声ガイダンス対応部１１で受けてユーザ音声登録部１３へ渡す。ユーザ音声登録部１３が登録ワードのユーザ音声信号をユーザ音声データに変換し、そこから音声特徴量である声紋プロファイルを取り出して音声データとしてユーザ音声ＤＢ１５に登録する。ユーザ音声登録終了後、ユーザ音声登録部１３は、音声ガイダンス対応部１１によりロッカー情報を取得するための音声ガイダンスを実行させる。ユーザ音声ＤＢ１５に登録する音声データは声紋プロファイルに限定されるものではなく、声紋以外の種類のデータであっても良い。
【００３４】
発話取得部１４は、開錠時に音声ガイダンス対応部１１からの音声ガイダンスに従いユーザ通信端末１から送信される登録ワードのユーザ発話音声信号を取得すると、音声データに変換して音声認証部１６に出力する。また、発話取得部１４は、音声ガイダンス対応部１１によるロッカー情報を取得するための音声ガイダンスによりユーザ通信端末１から受信する利用ロッカーに関するユーザ音声信号をユーザ音声データに変換して音声認識部１７に出力する。
【００３５】
ユーザ音声ＤＢ１５は、ユーザ音声登録部１３から入力される声紋プロファイルをユーザ毎に登録するデータベースである。
【００３６】
音声認証部１６は、開錠時に発話取得部１４から入力される登録ワードのユーザ発話音声から声紋プロファイルを抽出し、ユーザ音声ＤＢ１５に登録された該当ユーザの声紋プロファイルと比較して音声認証を行う。音声認証結果はユーザ管理サーバ４に送信する。
【００３７】
音声認識部１７は、音声認識用の辞書データベースを格納し、施錠時及び開錠時に発話取得部１４から入力されるユーザ音声データにより利用ロッカーのロッカー番号（例えば、各ロッカーに付与された管理番号等）を認識し、ロッカー情報としてユーザ管理サーバ４に送信する。
【００３８】
認証結果／利用情報取得部１８は、ユーザ管理サーバ４からユーザ認証結果又はロッカーの利用情報を受信し、そのユーザ認証結果又はロッカー利用に関する音声ガイダンスを音声ガイダンス対応部１１に指示する。
【００３９】
図３は、ユーザ管理サーバ４の構成を示すブロック図である。図３において、ユーザ管理サーバ４は、ユーザ登録応答部２１と、ユーザ情報登録部２２と、ユーザ認証部２３と、ユーザデータベース（以下、ユーザＤＢという）２４と、ロッカー情報取得部２５と、から構成され、各部はバス２６を介して相互に接続されている。
【００４０】
ユーザ登録応答部２１は、音声認証サーバ３から発信者番号を含むユーザ登録問い合わせを受信すると、その発信者番号に基づいてユーザＤＢ２４を検索して該当ユーザの登録の有無を判別し、その判別結果を音声認証サーバ３に通知する。
【００４１】
ユーザ情報登録部２２は、音声認証サーバ３から発信者番号を含むユーザ情報登録指示の通知を受信すると、その発信者番号に基づいて登録用のユーザ情報を生成してユーザＤＢ２４に登録する。
【００４２】
ユーザ認証部２３は、音声認証サーバ３から音声認証結果を受信すると、ユーザＤＢ２４から該当するユーザ情報を検索してユーザ認証処理を実行し、そのユーザ認証結果を音声認証サーバ３とロッカー管理サーバ５に送信する。
【００４３】
ユーザＤＢ２４は、ユーザ情報登録部２２により生成されたユーザ情報が登録されるデータベースである。
【００４４】
ロッカー情報取得部２５は、音声認証サーバ３からロッカー情報を受信すると、そのロッカー情報をロッカー管理サーバ５に転送する。
【００４５】
図４は、ロッカー管理サーバ５の構成を示すブロック図である。図４において、ロッカー管理サーバ５は、認証結果取得部３１と、ロッカー情報取得部３２と、ロッカー管理部３３と、ロッカーデータベース（以下、ロッカーＤＢという）３４と、から構成され、各部はバス３５を介して相互に接続されている。
【００４６】
認証結果取得部３１は、ユーザ管理サーバ４からユーザ認証結果を受信してロッカー管理部３３に出力する。
【００４７】
ロッカー情報取得部３２は、ユーザ管理サーバ４からロッカー情報を受信してロッカー管理部３３に出力する。
【００４８】
ロッカー管理部３３は、電子キーシステム６を介してロッカーの利用状態を管理する為、ユーザ管理サーバ４から受信するロッカー情報をユーザ毎にロッカーＤＢ３４に登録するとともに、その各ロッカーの利用状態に応じたロッカーの施錠及び開錠を制御する制御信号を電子キーシステム６に送信する。このため、ロッカー管理部３３は、入力されたユーザ認証結果によりユーザ通信端末１のユーザが認証されたことを確認すると、当該ユーザ情報と入力されたロッカー情報とを対応付けてロッカーＤＢ３４に登録して、各ロッカーの利用状態を管理する。また、ロッカー管理部３３は、ロッカー情報をロッカーＤＢ３４に登録した後、該当ロッカーの施錠及び開錠を制御する為、該当ロッカー番号を含むロッカー制御情報を電子キーシステム６に送信する等の処理を実行する。
【００４９】
ロッカーＤＢ３４は、ロッカー管理部３３によりロッカー情報とユーザ情報が対応付けて登録されるデータベースである。
【００５０】
図５は、電子キーシステム６の構成を示すブロック図である。図５において、電子キーシステム６は、制御情報取得部４１と、ロッカー施錠／開錠制御部４２と、ロッカー利用情報送信部４３と、ロッカーＩ／Ｆ部４４と、から構成され、各部はバス４５により相互に接続されている。
【００５１】
制御情報取得部４１は、ロッカー管理サーバ５からロッカー制御情報を受信してロッカー施錠／開錠制御部４２に出力する。
【００５２】
ロッカー施錠／開錠制御部４２は、入力されるロッカー制御信号からロッカー番号と施錠か開錠かを認識し、該当ロッカーの施錠又は開錠するためのロッカー制御信号を生成してロッカーＩ／Ｆ部４４に出力する。
【００５３】
ロッカー利用情報送信部４３は、ロッカーＩ／Ｆ部４４から利用中のロッカーの動作状態信号を受信すると、利用開始時間情報等を付加したロッカー利用情報をロッカー管理サーバ５に送信する。
【００５４】
ロッカーＩ／Ｆ部４４は、ロッカー施錠／開錠制御部４２から入力されるロッカー制御信号に基づいて、該当するロッカー７に対して施錠制御信号又は開錠制御信号を出力して施錠及び開錠動作を制御するとともに、ロッカー７から動作状態（施錠又は開錠）信号を受信してロッカー利用情報送信部４３に出力する。
【００５５】
図１のロッカー７の各ロッカーは、電子キーシステム６により施錠と開錠が制御されるように構成されているが、ユーザが荷物を預ける際に、該当ロッカーが電子キーシステム６により開錠され、荷物を収納した後に扉を閉めることにより、当該扉は自動的に施錠されるように構成されているものとする。
【００５６】
次に、図１のユーザ通信端末１のユーザがロッカー７を利用して荷物を預ける際の音声認証ロッカーシステムの動作について、図６に示すラダーチャートを参照して説明する。この場合、ユーザ通信端末１のユーザは荷預人になり、ユーザ通信端末１０のユーザが荷受人になるものとする。
【００５７】
図６において、ユーザ通信端末１のユーザは、音声認証ロッカーシステムを利用するため、音声認証サーバ３に発呼する（ステップＳ１１）。音声認証サーバ３内の発信者番号取得部１２は、音声ガイダンス対応部１１により受信された発信者番号通知信号からユーザ通信端末１の発信者番号を取得し、取得した発信者番号をユーザ管理サーバ４に通知してユーザ登録されているか否かの問い合わせを行う（ステップＳ１２）。
【００５８】
ユーザ管理サーバ４内のユーザ登録応答部２１は、音声認証サーバ３から発信者番号を含むユーザ登録問い合わせを受信すると、その発信者番号に基づいてユーザＤＢ２４を検索して該当ユーザの登録の有無を判別し、その判別結果を音声認証サーバ３に通知する（ステップＳ１３）。
【００５９】
音声認証サーバ３内の発信者番号取得部１２は、登録問合せの結果（登録／未登録）に応じたガイダンスを音声ガイダンス対応部１１からユーザ通信端末１に送信させる(ステップＳ１４)。具体的には、発信者番号取得部１２は、登録問合せの結果、未登録が確認された場合には、ユーザ音声の登録開始指示をユーザ音声登録部１３及び音声ガイダンス対応部１１に通知する。音声ガイダンス対応部１１は、鍵情報登録用の所定の言葉である登録ワード（例えば、荷預人の名前、ユーザ通信端末１の電話番号等）を発話するように促すガイダンスを流す。
【００６０】
また、音声認証サーバ３内の発信者番号取得部１２は、未登録が確認された場合には、ユーザ管理サーバ４に対して発信者番号と共にユーザ情報登録指示を通知する(ステップＳ１５)。ユーザ管理サーバ４内のユーザ情報登録部２２は、音声認証サーバ３から発信者番号を含むユーザ情報登録指示の通知を受信すると、その発信者番号に基づいて登録用のユーザ情報を生成してユーザＤＢ２４に登録するユーザ情報登録処理を実行する（ステップＳ１６）。
【００６１】
ユーザ通信端末１のユーザは、ステップＳ１４の音声ガイダンスに従い、登録ワードとなる言葉（例えば、自分の電話番号、名前）をユーザ通信端末１に対して発する。ユーザ通信端末１は音声認証サーバ３に対して登録ワードのユーザ音声信号を送信する(ステップＳ１７)。
【００６２】
音声認証サーバ３内のユーザ音声登録部１３は、音声ガイダンスに応答してユーザ通信端末１から入力されたユーザ音声信号を受信すると、受信したユーザ音声信号をユーザ音声データに変換して声紋プロファイルを取り出す。発信者番号取得部１２により取得された発信者番号と声紋プロファイルとをユーザ音声ＤＢ１５に音声鍵情報として登録する（ステップＳ１８）。ユーザ音声ＤＢ１５に登録された音声鍵情報は、荷物受け取り時の音声認証に利用される。
【００６３】
音声認証サーバ３内の認証結果／利用情報取得部１８は、引き続いてロッカー情報の音声入力を促す音声ガイダンスを行う（ステップＳ１９）。ユーザ通信端末１のユーザは、ステップＳ１９の音声ガイダンスに従い、利用するロッカーのロッカー情報（ロッカー番号（例えば、各ロッカーに付与された管理番号等））をユーザ通信端末１に対して発する。ユーザ通信端末１は音声認証サーバ３に対してロッカー情報となる言葉のユーザ音声信号を送信する(ステップＳ２０)。
【００６４】
音声認証サーバ３内の発話取得部１４は、音声ガイダンス対応部１１を介してユーザ通信端末１からロッカー情報を含むユーザ音声信号を受信して、音声認識部１７に出力する。音声認識部１７は、入力されたユーザ音声信号を認識し、その音声認識結果として上記ロッカー情報をユーザ管理サーバ４に送信する（ステップＳ２１）。
【００６５】
ユーザ管理サーバ４内のロッカー情報取得部２５は、音声認証サーバ３からロッカー情報を受信すると、そのロッカー情報をロッカー管理サーバ５に転送する（ステップＳ２２）。ロッカー管理サーバ５内のロッカー情報取得部３２は、ユーザ管理サーバ４からロッカー情報を受信してロッカー管理部３３に出力する。ロッカー管理部３３は、入力されたロッカー情報に基づいて、当該ユーザ通信端末１のユーザ情報とロッカー番号等とを対応付けてロッカーＤＢ３４に登録する（ステップＳ２３）。
【００６６】
次いで、ロッカー管理部３３は、ロッカー情報をロッカーＤＢ３４に登録した後、該当ロッカーの開錠を制御する為、該当ロッカー番号を含むロッカー開錠制御情報を電子キーシステム６に送信する（ステップＳ２４）。
【００６７】
電子キーシステム６内の制御情報取得部４１は、ロッカー管理サーバ５からロッカー開錠制御情報を受信してロッカー施錠／開錠制御部４２に出力する。ロッカー施錠／開錠制御部４２は、入力されるロッカー開錠制御信号からロッカー番号と開錠を認識し、該当ロッカーを開錠するためのロッカー開錠制御信号を生成してロッカーＩ／Ｆ部４４を介して該当ロッカーに出力する（ステップＳ２５）。これにより、ユーザ通信端末１のユーザは、該当ロッカーが開錠されるため、荷物をロッカー内に収納した後、ロッカーの扉を閉めることにより、当該ロッカーは自動的に施錠される。
【００６８】
そして、電子キーシステム６内のロッカー利用情報送信部４３は、ロッカーＩ／Ｆ部４４から利用中のロッカーの動作状態信号を受信すると、利用開始時間情報等を付加した状態情報をロッカー管理サーバ５に送信する（ステップＳ２６）。
【００６９】
ロッカー管理サーバ５内のロッカー管理部３３は、状態情報を受信すると、付加された利用開始時間情報をロッカーＤＢ３４内の該当するレコードに登録し、利用開始を確認する利用情報をユーザ管理サーバ４に送信する（ステップＳ２７）。
【００７０】
ユーザ管理サーバ４内のロッカー情報取得部２５は、ロッカー管理サーバ５から利用情報を受信して音声認証サーバ３に転送する（ステップＳ２８）。音声認証サーバ３内の認証結果／利用情報取得部１８は、ユーザ管理サーバ４から利用情報を受信すると、利用開始の音声ガイダンスを音声ガイダンス対応部１１に指示する。音声ガイダンス対応部１１は、その指示に応じてロッカーの利用を開始したこと示す音声ガイダンスをユーザ通信端末１に送信する（ステップＳ２９）。
【００７１】
次いで、ユーザ通信端末１のユーザは、荷受人である別のユーザ通信端末１０のユーザ情報（発信者番号等）を音声により音声認証サーバ３に送信する（ステップＳ３０）。音声認証サーバ３内の発話取得部１４は、荷受人である通信端末１０のユーザ情報（発信者番号等）を含むユーザ音声信号を受信すると、そのユーザ音声データに変換して音声認識部１７に出力する。音声認識部１７は、入力されたユーザ音声データから通信端末１０のユーザ情報（発信者番号等）を認識してテキスト化し、その荷受人データをユーザ管理サーバ４に送信する（ステップＳ３１）。
【００７２】
ユーザ管理サーバ４内のロッカー情報取得部２５は、音声認証サーバ３から荷受人データを受信してロッカー管理サーバ５に転送する（ステップＳ３２）。ロッカー管理サーバ５内のロッカー情報取得部３２は、ユーザ管理サーバ４から荷受人データを受信してロッカー管理部３３に出力する。ロッカー管理部３３は、入力された荷受人データをロッカーＤＢ３４内の該当するレコードに登録し（ステップＳ３３）、受領通知をユーザ管理サーバ４に送信する（ステップＳ３４）。
【００７３】
ユーザ管理サーバ４内のロッカー情報取得部２５は、ロッカー管理サーバ５から受領通知を受信して音声認証サーバ３に転送する（ステップＳ３５）。音声認証サーバ３内の認証結果／利用情報取得部１８は、ユーザ管理サーバ４から受領通知を受信すると、受領通知の音声ガイダンスを音声ガイダンス対応部１１に指示する。音声ガイダンス対応部１１は、その指示に応じて荷受人受領通知を音声によりユーザ通信端末１に送信する（ステップＳ３６）。
【００７４】
以後、荷受人受領通知を聞いたユーザ通信端末１のユーザは、切断操作を行って、音声認証ロッカーシステムとの間の通話を終了する。
【００７５】
以上の処理により、荷物がロッカー内に収容されると共に、当該ロッカーを開錠するための鍵情報が音声認証サーバ３に登録される。また、ロッカー管理サーバ５内のロッカーＤＢ３４には、荷預人であるユーザ通信端末１のユーザ情報と、ロッカー情報と、利用開始時間情報と、荷受人であるユーザ通信端末１０のユーザ情報と、が対応付けて登録されたことになる。今回のユーザ通信端末１のロッカーの利用によりロッカーＤＢ３４に登録されたデータテーブルの例を図７に示す。図７では、ロッカー情報としてロッカー管理番号「ＲＣ１２３４５６７８」、荷預人情報としてユーザ通信端末１のユーザの発信者番号「０９０１２３４５６７８」、荷受人情報としてユーザ通信端末１０のユーザの発信者番号「０９０２３４５６７８９」、利用開始情報として利用開始日時「２００５／１０／０１  １０：１０」を登録した場合を示している。更に、このデータテーブルでは、利用終了情報と、利用ユーザに対する課金情報とを対応付けて管理するようにしている。ユーザへの課金は、このデータテーブルに登録される課金情報に基づいて行うものとする。例えば、音声認証ロッカーシステムを運用する企業や通信端末を運用する企業が、課金情報に基づいて一定の期間毎にユーザの口座から利用料金を纏めて引き落とす等の課金処理を行うものとする。
【００７６】
したがって、本実施の形態の音声認証ロッカーシステムでは、従来の鍵の代わりにユーザ通信端末からの音声入力により利用可能としたため、従来のロッカーのように現金は不要となり、ユーザの利便性を向上することができる。
【００７７】
なお、荷預人と荷受人が同一ユーザである場合、ロッカー管理サーバ５内のロッカーＤＢ３４には、荷預人と荷受人には同一のユーザ情報が登録される。
【００７８】
次に、ユーザ通信端末１のユーザ、すなわち、荷預人によりロッカーに預けられた荷物を別のユーザ通信端末１０のユーザ、すなわち、荷受人がロッカーから荷物を取り出す際の処理について、図８に示すラダーチャートを参照して説明する。
【００７９】
上記ロッカーに預けられた荷物を受け取る荷受人は、ロッカーの前から遠隔地に居る荷預人に対して何らかの通信手段を使ってロッカーの鍵を開けるように依頼する。
【００８０】
開錠の依頼を受けた荷預人がユーザ通信端末１から音声認証サーバ３へ発呼する(ステップＳ１１)。音声認証サーバ３内の発信者番号取得部１２は、音声ガイダンス対応部１１により受信された発信者番号通知信号からユーザ通信端末１の発信者番号を取得し、取得した発信者番号をユーザ管理サーバ４に通知してユーザ登録されているか否かの問い合わせを行う（ステップＳ１２）。
【００８１】
ユーザ管理サーバ４内のユーザ登録応答部２１は、音声認証サーバ３から発信者番号を含むユーザ登録問い合わせを受信すると、その発信者番号に基づいてユーザＤＢ２４を検索して該当ユーザの登録の有無を判別し、その判別結果を音声認証サーバ３に通知する（ステップＳ１３）。
【００８２】
ここでは、ユーザ通信端末１のユーザは、ロッカーに荷物を預けて鍵情報を登録しているので、ユーザＤＢ２４に発信者番号及びロッカー情報等が登録されている。音声認証サーバ３内の発信者番号取得部１２は、音声ガイダンス対応部１１に指示して鍵情報登録時と同じ言葉（例えば、荷預人の名前、ユーザ通信端末１の電話番号等の登録ワード）を発するように促すガイダンスを音声ガイダンス対応部１１からユーザ通信端末１に送信させる(ステップＳ１４)。
【００８３】
ユーザ通信端末１のユーザは、ガイダンスにしたがって鍵情報登録時と同じ登録ワード（例えば、荷預人の名前、ユーザ通信端末１の電話番号等）を発する。このユーザ音声信号はユーザ通信端末１から音声認証サーバ３へ送信される（ステップＳ１７）。
【００８４】
音声認証サーバ３では、ステップＳ１４のガイダンス以降に音声ガイダンス対応部１１がユーザ通信端末１から受信したユーザ音声データを、発話取得部１４が取り込んで音声認証部１６へ入力する。すなわち、発話取得部１４は、ユーザがガイダンスに応じて鍵情報登録時と同じ言葉（登録ワード）を発声した際に受信されるユーザ音声データをリアルタイムで音声認証部１６へ入力するように作用する。音声認証部１６は、発話取得部１４からリアルタイムで入力されるユーザ音声データの先頭から音声認証処理を開始する。ここで、ユーザがガイダンスに応じて登録ワードだけを発話していれば、取得されたユーザ音声データ全体が鍵情報に相当する部分となるが、登録ワード以外の言葉も発話していればユーザ音声データのうちの一部分が鍵情報に相当する部分となる。登録ワードと共に他の言葉を発話していても、登録ワード部分を鍵情報に相当する部分として抽出して音声認証することができる。音声認証部１６は、今回受信した鍵情報に相当する部分の声紋プロファイルと荷物を預けた際に鍵情報として登録された荷預人の声紋プロファイルとを比較して音声認証を行う(ステップＳ４１)。具体的には、ユーザ音声ＤＢ１５に登録されているユーザ通信端末１のユーザの声紋プロファイルと比較し、一致度を評価する。評価値が所定値を超えれば、音声認証に成功したことになる。
【００８５】
ユーザ管理サーバ４は、音声認証に成功した音声認証結果を受けると(ステップＳ４２)、ユーザ通信端末１のユーザについてユーザ認証を行い(ステップＳ４３)、ユーザ認証結果をロッカー管理サーバ５及び音声認証サーバ３へ送信する(ステップＳ４４)。
【００８６】
音声認証サーバ３は、ユーザ認証結果を受けて（音声認証に成功した場合）、音声ガイダンス対応部１１からロッカー情報を発話するようにガイダンスを流す(ステップＳ４５)。荷預人は、ロッカー前に居る荷受人から事前にロッカー管理番号を取得し、ユーザ通信端末１にロッカー情報となるロッカー管理番号を音声入力する。ユーザ通信端末１は音声入力されたロッカー情報のユーザ音声信号を音声認証サーバ３へ送信する(ステップＳ４６)。
【００８７】
音声認証サーバ３は、ユーザ通信端末１から受信したロッカー情報の発話音声を音声認識部１７で認識処理し、音声認識結果としてのロッカー情報をユーザ管理サーバ４へ送り(ステップＳ４７)、ユーザ管理サーバ４が当該ロッカー情報をロッカー管理サーバ５へ転送する（ステップＳ４８）。そして、ロッカー管理サーバ５が該当ロッカーを開錠するロッカー開錠制御情報を電子キーシステム６へ送る（ステップＳ４９）。
【００８８】
電子キーシステム６内の制御情報取得部４１は、ロッカー管理サーバ５からロッカー開錠制御情報を受信してロッカー施錠／開錠制御部４２に出力する。ロッカー施錠／開錠制御部４２は、入力されるロッカー開錠制御信号からロッカー番号と開錠を認識し、該当ロッカーを開錠するためのロッカー開錠制御信号を生成してロッカーＩ／Ｆ部４４を介して該当ロッカーに出力する（ステップＳ５０）。
【００８９】
これにより、ユーザ通信端末１０のユーザは、該当ロッカーが開錠されるため、ロッカー内から荷物を取り出した後、ロッカーの扉を閉めることにより、当該ロッカーは自動的に施錠される。ロッカーＩ／Ｆ部４４から利用中のロッカーの動作状態信号が送信される。電子キーシステム６内のロッカー利用情報送信部４３は、ロッカーＩ／Ｆ部４４から利用中のロッカーの動作状態信号を受信すると、利用終了時間情報を付加したロッカー利用情報をロッカー管理サーバ５に送信する（ステップＳ５１）。
【００９０】
ロッカー管理サーバ５内のロッカー管理部３３は、ロッカー利用情報を受信すると、付加された利用時間終了情報と、課金情報をロッカーＤＢ３４内の該当するレコードに登録し、利用終了を確認する終了通知をユーザ管理サーバ４に送信する（ステップＳ５２）。
【００９１】
ユーザ管理サーバ４内のロッカー情報取得部２５は、ロッカー管理サーバ５から終了通知を受信して音声認証サーバ３に転送する（ステップＳ５３）。音声認証サーバ３内の認証結果／利用情報取得部１８は、ユーザ管理サーバ４から終了通知を受信すると、利用終了の音声ガイダンスを音声ガイダンス対応部１１に指示する。音声ガイダンス対応部１１は、その指示に応じてロッカーの利用を終了したこと示す音声ガイダンスをユーザ通信端末１０に送信する（ステップＳ５４）。
【００９２】
以後、利用終了通知を聞いたユーザ通信端末１０のユーザは、切断操作を行って、音声認証ロッカーシステムとの間の通話を終了する。
【００９３】
以上の処理により、ロッカー管理サーバ５内のロッカーＤＢ３４には、図９に示すように、利用終了情報として利用終了日時「２００５／１０／０３  １４：２０」と、課金情報「ユーザＡ  ○○○円」とを登録した場合を示している。
【００９４】
以上のように、本実施の形態では、ロッカーに荷物を預ける際に音声鍵情報も同時に預け、ロッカーから荷物を受け取る際に遠隔地に居る荷預人自身が自分の意思に基づいて音声認証サーバ３で音声認証を受けてロッカーを開錠することができる。荷預人と荷受人が異なる場合に荷受人の音声データが登録されていなくても利用可能であり、より簡便な操作で当該ロッカーシステムを利用することができる。
【００９５】
以上の説明では生体特徴情報の一つとして声紋プロファイルを用いたが、本発明は声紋プロファイル以外の生体特徴情報を鍵情報として利用可能である。例えば、顔画像の特徴点を抽出した顔画像データを用いることができる。音声認証機能に代えて顔画像認証機能をシステム側に搭載することになる。
【００９６】
例えば、カメラ機能を搭載したユーザ通信端末１で荷預人の顔を撮影し、撮影した顔画像データを認証サーバへ送信する。認証サーバでは、ユーザ通信端末１から受信した顔画像データから特徴点を抽出して鍵情報としてユーザ顔画像ＤＢに登録する。ユーザ管理サーバ４には、上記同様にロッカー管理番号及びユーザ通信端末１を登録する。
【００９７】
一方、荷受人がロッカーの前から荷預人であるユーザ通信端末１のユーザに電話して開錠を依頼する。ユーザ通信端末１のユーザは、ユーザ通信端末１から登録時に撮影した顔画像又は今回撮影した顔画像データを認証サーバへ送信する。認証サーバが、今回受信した顔画像の特徴点と登録されている当該荷預人の顔画像の特徴点とを比較して、一致すれば、上記同様にユーザ管理サーバ４、ロッカー管理サーバ５を経由して電子キーシステム６を制御して開錠させる。
【００９８】
このように、生体特徴情報の一つとして顔画像データを用いた場合も、荷預人が遠隔から自分の意思でロッカーを開錠でき、荷物の受け渡しを円滑に行うことができる。
【００９９】
次に、荷受人が荷預人の指定したロッカー前から、荷預人に電話して荷預人の発話音声を荷受人側の端末で取得し、荷受人側の端末から荷預人の発話音声で音声認証を掛けるようにした実施の形態について説明する。
【０１００】
図１０はユーザ通信端末１０の機能ブロック図である。ユーザ通信端末１０は、一般的な携帯電話機で構成されており、基地局又はアクセスポイント等と無線通信する無線通信部５１と、送受信データを変復調するベースバンド処理部５２と、インストールされたプログラムをＣＰＵが読み込んで実行することにより実現されるアプリケーション部５３とを備えている。アプリケーション部５３は、ユーザ通信端末１０と他のユーザ通信端末１とで回線接続して通話中に他のユーザ通信端末１での発話音声である受話音声を通話中に取得する会話取得部５４と、会話取得部５４が取得した受話音声から所定の言葉の声紋プロファイルを抽出する声紋プロファイル抽出部５５とを備える。さらに、ユーザ通信端末１０は、近距離通信手段の一つとして赤外線通信部５６を備え、声紋プロファイル抽出部５５で抽出した声紋プロファイルを赤外線送信することができるように構成されている。
【０１０１】
図１１は電子キーシステム６０の機能ブロック図である。図５に示す電子キーシステム６と同一機能ブロックには同一符号を付している。本例では、ユーザ通信端末１０と赤外線通信する赤外線通信部４６と、赤外線通信部４６で受信した声紋プロファイルを取得して音声認証サーバ３に送信して音声認証を行わせる声紋プロファイル取得部４７とを備える。その他の構成は図５に示す電子キーシステム６と同一である。なお、図１１では声紋プロファイルをロッカー管理サーバ５、ユーザ管理サーバ４経由で音声認証サーバ３へ直接入力するように構成することもできる。
【０１０２】
次に、荷受人がロッカーから荷物を取り出す際の処理について、図１２に示すラダーチャートを参照して説明する。ユーザ通信端末１０のユーザである荷受人が、使用したい本ロッカーシステムに係るロッカーの前からユーザ通信端末１０で荷預人であるユーザのユーザ通信端末１に電話を掛けて回線接続し（ステップＳ６０）、鍵情報として登録した言葉（登録ワード）の発話を依頼する。例えば、登録ワードがロッカー管理番号と名前であれば、ロッカー管理番号と名前を発話してもらう。
【０１０３】
ユーザ通信端末１０ではベースバンド処理部５２が音声信号を復調してスピーカから音声出力する。会話取得部５４は、通話中の音声から荷預人によるロッカー管理番号と名前の発話音声を取得する。声紋プロファイル抽出部５５は、会話取得部５４が通話中の音声から取得したロッカー管理番号と名前の発話音声を分析して声紋プロファイルを抽出する(ステップＳ６１)。抽出したて声紋プロファイルはメモリの所定領域に一旦格納される。
【０１０４】
荷受人は抽出した声紋プロファイルを、赤外線通信を利用して電子キーシステム側に送信する操作を行う。例えば、アプリケーション部５３が提供する操作画面に従って赤外線通信部５６から声紋プロファイル及びユーザ通信端末１の電話番号を送信する（ステップＳ６２）。電子キーシステム６０の赤外線通信部４６ではユーザ通信端末１０から受信した声紋プロファイル及び電話番号を声紋プロファイル取得部４７へ入力する。声紋プロファイル取得部４７は、ロッカー管理サーバ５と通信してロッカー管理部３３へ音声認証要請を出すと共に声紋プロファイル及び電話番号を渡す（ステップＳ６３）。ロッカー管理部３３はユーザ管理サーバ４経由又は直接に音声認証サーバ３へ声紋プロファイル及び電話番号を送信する。
【０１０５】
音声認証サーバ３は、音声認証部１６が声紋プロファイル及び電話番号を受け取り、予め音声鍵情報が登録されているユーザ音声ＤＢ１５から電話番号に基づいて、ユーザ通信端末１のユーザが登録した音声鍵情報を取り出す。そして、電子キーシステム６０側から送られてきた声紋プロファイルと登録されている音声鍵情報とを照合する。両者が一致していれば音声認証が完了する(ステップＳ６４)。
【０１０６】
音声認証部１６の音声認証結果はユーザ管理サーバ４へ送られる(ステップＳ６５)。ユーザ管理サーバ４ではユーザ認証を行い(ステップＳ６６)、ユーザ認証結果をロッカー管理サーバ５へ送信する(ステップＳ６７)。ロッカー管理サーバ５は、該当ロッカーを開錠するロッカー開錠の制御情報を電子キーシステム６へ送る（ステップＳ６８）。
【０１０７】
電子キーシステム６内の制御情報取得部４１は、ロッカー管理サーバ５からロッカー開錠制御情報を受信してロッカー施錠／開錠制御部４２に出力する。ロッカー施錠／開錠制御部４２は、入力されるロッカー開錠制御信号からロッカー番号と開錠を認識し、該当ロッカーを開錠するためのロッカー開錠制御信号を生成してロッカーＩ／Ｆ部４４を介して該当ロッカーに出力する（ステップＳ６９）。以降の処理は、図６に示すステップＳ５１からステップＳ５４と同じである。但し、ステップＳ５４で荷預人のユーザ通信端末１に音声ガイダンスをするのではなく、音声認証サーバ３から電子メール等の適当な通信手段で利用結果をユーザ通信端末１へ通知する。
【０１０８】
このように、ユーザ通信端末１、１０による荷預人と荷受人との通話中に、会話音声を取り込んで鍵情報として登録した登録ワードと同じ発話音声の声紋プロファイルを抽出し、この声紋プロファイルを音声認証サーバ３へ送信し、音声認証してからロッカーを開錠するようにしたので、極めて簡単に荷預人から荷受人へ音声鍵情報を渡すことができる。
【０１０９】
なお、図１０に示すユーザ通信端末１０はアプリケーション部５３の声紋プロファイル抽出部５５で声紋プロファイルを抽出しているが、ユーザ通信端末１０では声紋プロファイルを抽出せずに発話音声データを電子キーシステム６０又は音声認識サーバ３に渡してシステム側で声紋プロファイルを抽出するように構成しても良い。
【０１１０】
また、図１３に示すようにユーザ通信端末１０に音声認証部５８を設け、ユーザ通信端末１０上で音声認証まで行い、音声認証がされたことを示す情報をキーにしてロッカーを開錠するように構成することもできる。荷受人はロッカーの前で電子ロッカーシステム６０と赤外線通信で荷預人がユーザ音声ＤＢ１５に登録した音声鍵情報を取り込む。電子ロッカーシステム６０の声紋プロファイル取得部４７が音声鍵情報を登録した荷預人の電話番号に基づいて音声認証サーバ３から音声鍵情報を取り込み、赤外線通信でユーザ通信端末１０へ送信する。ユーザ通信端末１０では赤外線通信で取得した音声鍵情報を音声認証部５８へ入力する。
【０１１１】
荷受人がユーザ通信端末１０から荷預人のユーザ通信端末１に回線接続する。そして、ユーザ通信端末１０では声紋プロファイル取得部４７が通話中にユーザ通信端末１のユーザの発話音声を取得し、取得した会話音声から登録ワードに相当する発話音声を取り込み、声紋プロファイル抽出部５５が声紋プロファイルを抽出して音声認証部５８へ入力する。音声認証部５８は、赤外線通信で取得した音声鍵情報と通話中の会話から取得した登録ワードの声紋プロファイルとを照合して音声認証を行う。音声認証に成功した場合は、認証成功情報を赤外線通信部５６から電子キーシステム６０へ送信する。認証成功情報の送信操作はアプリケーション部５３が提供する操作が目に従うものとする。
【０１１２】
電子キーシステム６０では赤外線通信部４６から受信した認証成功情報が制御情報取得部４１に入力される。そして、制御情報取得部４１が認証成功情報の入力を受けて開錠制御信号をロッカー施錠／開錠制御部４２へ出力する。ロッカー施錠／開錠制御部４２は、入力されるロッカー開錠制御信号からロッカー番号と開錠を認識し、該当ロッカーを開錠するためのロッカー開錠制御信号を生成してロッカーＩ／Ｆ部４４を介して該当ロッカーを開錠させる。
【０１１３】
このように、クライアント上で音声認証して、認証結果を電子キーシステム６０側に赤外線通信で渡してロッカーの鍵を開けるようにしても良い。
【産業上の利用可能性】
【０１１４】
本発明は、施錠者が遠隔で開錠する電子錠装置及び音声認証ロッカーシステムに適用可能である。
【図面の簡単な説明】
【０１１５】
【図１】本発明の実施の形態に係る音声認証ロッカーシステムのシステム構成を示すブロック図
【図２】本実施の形態に係る音声認証サーバの構成を示すブロック図
【図３】本実施の形態に係るユーザ管理サーバの構成を示すブロック図
【図４】本実施の形態に係るロッカー管理サーバの構成を示すブロック図
【図５】本実施の形態に係る電子キーシステムの構成を示すブロック図
【図６】本実施の形態に係る荷預人のユーザ通信端末が音声認証ロッカーシステムの利用を開始する際の動作を説明するためのラダーチャート
【図７】本実施の形態に係る音声認証ロッカーシステム利用開始後にロッカーＤＢに登録されるデータテーブルの一例を示す図
【図８】本実施の形態に係る荷受人のユーザ通信端末が音声認証ロッカーシステムから荷物を取り出す際の動作を説明するためのラダーチャート
【図９】本実施の形態に係る音声認証ロッカーシステム利用終了後にロッカーＤＢに登録されるデータテーブルの一例を示す図
【図１０】本実施の形態に係る荷受人のユーザ通信端末が音声認証ロッカーシステムから荷物を取り出す際の変形例の動作を説明するためのラダーチャート
【図１１】他の実施の形態における電子キーシステムの機能ブロック図
【図１２】他の実施の形態において荷受人がロッカーから荷物を取り出す際の処理を説明するためのラダーチャート
【図１３】ユーザ通信端末上で音声認証まで行う変形例のユーザ通信端末のブロック図
【符号の説明】
【０１１６】
１、１０  ユーザ通信端末
２  電話網
３  音声認証サーバ
４  ユーザ管理サーバ
５  ロッカー管理サーバ
６  電子キーシステム
７  ロッカー
１１  音声ガイダンス対応部
１２  発信者番号取得部
１３  ユーザ音声登録部
１４  発話取得部
１５  ユーザ音声ＤＢ
１６  音声認証部
１７  音声認識部
１８  認証結果／利用情報取得部
２１  ユーザ登録応答部
２２  ユーザ情報登録部
２３  ユーザ認証部
２４  ユーザＤＢ
２５  ロッカー情報取得部
３１  認証結果取得部
３２  ロッカー情報取得部
３３  ロッカー管理部
３４  ロッカーＤＢ
４１  制御情報取得部
４２  ロッカー施錠／開錠制御部
４３  ロッカー利用情報送信部
４４  ロッカーＩ／Ｆ部
【図１】
2007332695.tif 000003
【図２】
2007332695.tif 000004
【図３】
2007332695.tif 000005
【図４】
2007332695.tif 000006
【図５】
2007332695.tif 000007
【図６】
2007332695.tif 000008
【図７】
2007332695.tif 000009
【図８】
2007332695.tif 000010
【図９】
2007332695.tif 000011
【図１０】
2007332695.tif 000012
【図１１】
2007332695.tif 000013
【図１２】
2007332695.tif 000014
【図１３】
2007332695.tif 000015